(57)【要約】【課題】患者データの管理を容易にする。【解決手段】複数の医療用装置とデータの送受を行う通信部５を有し、その複数の医療用装置の中の１つの医療用装置から出力された患者データが入力されたときに、その患者データを当該患者に対する患者データとしてデータベース４に記録すると共に、その患者データを、その複数の医療用装置の中の、その患者データを出力した医療用装置以外の医療用装置へ出力し、当該患者に対する患者データを１つの患者データとして管理する、ように画像記録装置を構成する。【選択図】図１
2004348419.tif 000002
【特許請求の範囲】
【請求項１】
複数の医療用装置とデータの送受を行う通信手段を有し、
前記複数の医療用装置の中の１つの医療用装置から出力された患者データが入力されたときに、前記患者データを当該患者に対する患者データとして記録すると共に、前記患者データを、前記複数の医療用装置の中の、前記患者データを出力した医療用装置以外の医療用装置へ出力し、
当該患者に対する患者データを１つの患者データとして管理する、
ことを特徴とする画像記録装置。
【請求項２】
複数の医療用装置とデータの送受を行う通信手段を有し、
前記複数の医療用装置に優先順位を設け、前記複数の医療用装置の中の１つの医療用装置から出力された患者データが入力されたときに、前記患者データを出力した医療用装置に設けられた優先順位に基づいて、前記患者データを当該患者に対する患者データとして記録し、前記入力された患者データを、前記複数の医療用装置の中の、前記患者データを出力した医療用装置以外の医療用装置へ出力する、又は、前記患者データを当該患者に対する患者データとして記録せずに、既に記録されている患者データを、前記患者データを出力した医療用装置へ出力する、
ことを特徴とする画像記録装置。
【請求項３】
複数の医療用装置とデータの送受を行う通信手段を有し、
前記複数の医療用装置の中の１つの医療用装置から出力された、患者データに含まれる一部の項目の内容が入力されたときに、前記一部の項目の内容に基づいてデータベースを検索し、前記一部の項目の内容に係る患者データが検索されたときには、前記一部の項目の内容に係る患者データを、前記複数の医療用装置に出力する、
ことを特徴とする画像記録装置。
【請求項４】
医療用装置から出力された患者データ及び検査データを記録する、
ことを特徴とする画像記録装置。
【発明の詳細な説明】
【０００１】
【発明の属する技術分野】
本発明は、医療用画像等の医療用情報を記録する画像記録装置に関する。
【０００２】
【従来の技術】
従来、病院等の医療機関では、各種の医療用装置が用いられて、検査、診断、治療が行われている。これらの医療用装置は、当該医療用装置から提供される情報を取得し記録する等といった処理を行う、当該医療用装置専用の画像記録装置と接続され、システムとして使用されている。例えば、内視鏡検査においては、医療用装置の一例である内視鏡装置にその装置専用の画像記録装置が接続され、システムとして使用されている（特許文献１等）。
【０００３】
ところで、近年においては、同一検査内に複数の医療用装置が用いられて検査が行われることが多くなってきた。このような検査では、各医療用装置は、当該装置専用の画像記録装置と各々接続され、各々独立したシステムとして使用される。また、このような検査では、各システムが独立に使用されているために、使用する医療用装置毎に患者データ（患者ＩＤや患者氏名等）の入力が行われる。例えば、内視鏡装置と超音波診断装置が併用される内視鏡検査においては、内視鏡装置に専用の画像記録装置が接続されて１つのシステムとして使用され、また超音波診断装置に専用の画像記録装置が接続されて１つのシステムとして使用される。また、その内視鏡検査において、内視鏡装置を用いて検査が行われる場合には、内視鏡装置の入力部を介して患者データの入力が行われ、その患者データがその装置専用の画像記録装置に記録される。また超音波診断装置を用いて検査が行われる場合には、超音波診断装置の入力部を介して患者データの入力が行われ、その患者データがその装置専用の画像記録装置に記録される。
【０００４】
【特許文献１】
特開平７−１４１４９８号公報
【０００５】
【発明が解決しようとする課題】
このようなことから、同一検査内に複数の医療用装置が用いられて検査が行われると、同一患者に対して複数の患者データが存在することとなり、例えば、入力ミス等により一方の患者データに誤りがあった場合等には、患者データの整合が容易ではなく、患者データの管理が複雑になるという問題があった。
【０００６】
本発明は、上記実情に鑑み、患者データの管理を容易にする画像記録装置を提供することを目的とする。
【０００７】
【課題を解決するための手段】
本発明の第１の態様は、複数の医療用装置とデータの送受を行う通信手段を有し、前記複数の医療用装置の中の１つの医療用装置から出力された患者データが入力されたときに、前記患者データを当該患者に対する患者データとして記録すると共に、前記患者データを、前記複数の医療用装置の中の、前記患者データを出力した医療用装置以外の医療用装置へ出力し、当該患者に対する患者データを１つの患者データとして管理する、画像記録装置である。
【０００８】
上記の構成によれば、同一検査内に複数の医療用装置が用いられて検査が行われる場合に、当該患者に対する患者データを１つとすることができるので、患者データの管理が容易になる。
本発明の第２の態様は、複数の医療用装置とデータの送受を行う通信手段を有し、前記複数の医療用装置に優先順位を設け、前記複数の医療用装置の中の１つの医療用装置から出力された患者データが入力されたときに、前記患者データを出力した医療用装置に設けられた優先順位に基づいて、前記患者データを当該患者に対する患者データとして記録し、前記入力された患者データを、前記複数の医療用装置の中の、前記患者データを出力した医療用装置以外の医療用装置へ出力する、又は、前記患者データを当該患者に対する患者データとして記録せずに、既に記録されている患者データを、前記患者データを出力した医療用装置へ出力する、画像記録装置である。
【０００９】
上記の構成によれば、優先順位の高い医療用装置から入力された患者データを、当該患者に対する患者データとして管理することができるので、優先順位の高い医療用装置に対する入力操作だけで、患者データの管理を行うことができる。
本発明の第３の態様は、複数の医療用装置とデータの送受を行う通信手段を有し、前記複数の医療用装置の中の１つの医療用装置から出力された、患者データに含まれる一部の項目の内容が入力されたときに、前記一部の項目の内容に基づいてデータベースを検索し、前記一部の項目の内容に係る患者データが検索されたときには、前記一部の項目の内容に係る患者データを、前記複数の医療用装置に出力する、画像記録装置である。
【００１０】
上記の構成によれば、既に患者データがデータベースに登録されていた場合には、１つの医療用装置から、その患者データに含まれる一部の項目の内容を入力するだけで、複数の医療用装置にその患者データを出力することができる。
本発明の第４の態様は、医療用装置から出力された患者データ及び検査データを記録する、画像記録装置である。
【００１１】
【発明の実施の形態】
以下、本発明の実施の形態を図面を参照しながら説明する。
＜第１の実施の形態＞
まず、本発明の第１の実施の形態について説明する。
【００１２】
図１は、内視鏡検査に使用される、本発明の第１の実施の形態に係る画像記録装置を含むシステムの一例を示した図である。
同図において、電子内視鏡装置１と超音波診断装置２は、画像記録装置３に接続されている。
【００１３】
電子内視鏡装置１及び超音波診断装置２の各々は、内部メモリに格納されている制御プログラムに従って当該装置の全体の動作を制御する制御部（ＣＰＵ）と、画像記録装置３との間でデータの送受を行う通信部と、各種のデータを記録する記録部と、各種の入力を受け付ける入力部と、各種の情報を表示する表示部等を有している。
【００１４】
また、画像記録装置３は、内部メモリに格納されている制御プログラムに従って当該装置の全体の動作を制御する制御部（ＣＰＵ）と、当該装置に接続されている複数の装置（ここでは電子内視鏡装置１及び超音波診断装置２）との間でデータの送受を行う通信部５と、各種のデータを記録するデータベース４等を有している。尚、画像記録装置３をネットワークに接続し、ネットワークを介して、データベース４に記録されているデータ等を所定のサーバー装置へ出力（送信）する構成とすることも可能である。この場合は、データベース４は単にデータを一時保管するバッファでも良く、最終的にデータを管理するデータベース自体はサーバー装置側にある方が効率的である。
【００１５】
このような構成のシステムにおいて、同一検査において行われる患者データの入力は、次のようにして行われる。
尚、ここでは、電子内視鏡装置１の入力部を介して入力された患者データを患者データ１とし、超音波診断装置２の入力部を介して入力された患者データを患者データ２とする。
【００１６】
まず、電子内視鏡装置１を介して患者データ１が入力されると、その患者データ１が画像記録装置３へ出力されてデータベース４に記録され、その患者データ１が当該患者に対する患者データとして管理される。そして、その患者データ１は、画像記録装置３から、患者データ１を出力した電子内視鏡装置１以外の装置である超音波診断装置２へ出力される。
【００１７】
又は、超音波診断装置２を介して患者データ２が入力されると、その患者データ２が画像記録装置３へ出力されてデータベース４に記録され、その患者データ２が当該患者に対する患者データとして管理される。そして、その患者データ２は、画像記録装置３から、患者データ２を出力した超音波診断装置２以外の装置である電子内視鏡装置１へ出力される。
【００１８】
尚、このような処理により、同一検査において、患者データの入力が複数回行われたときには、最後に入力された患者データが、当該患者に対する患者データとして管理されることになる。
以上、本実施形態によれば、同一検査内に複数の医療用装置が用いられて検査が行われる場合であっても、当該患者に対する患者データを１つとすることができるので、患者データの管理が容易になる。
【００１９】
尚、本実施形態において、電子内視鏡装置１、超音波診断装置２、及び画像記録装置３との間のデータの送受を無線により行うことも可能である。
＜第２の実施の形態＞
次に、本発明の第２の実施の形態について説明する。
【００２０】
本実施形態は、画像記録装置に接続される複数の医療用装置に優先順位を設け、その優先順位に基づいて、各医療用装置から出力される患者データを管理するようにしたものである。
図２は、内視鏡検査に使用される、本発明の第２の実施の形態に係る画像記録装置を含むシステムの一例を示した図である。尚、同図において、図１に示した構成と同一の構成については同一の符号を付して示している。
【００２１】
画像記録装置３ａは、設定により、接続される医療用装置に優先順位を設けることができるようになっている。これは、例えば、画像記録装置３ａにおいて、医療用装置が接続される通信ポートの各々に対して優先順位を設けるようにすること等によって行う。これにより、優先順位の最も高い通信ポートに接続される医療用装置が、優先順位の最も高い医療用装置ということになる。
【００２２】
画像記録装置３ａは、このようにして設定された優先順位に基づいて、医療用装置から患者データが入力されたときに、既にデータベース４に記録され当該患者に対する患者データとして管理されている患者データが有る場合と無い場合とに応じて、次のような患者データ処理を行う。
【００２３】
まず、患者データが入力されたときに、既にデータベース４に記録され当該患者に対する患者データとして管理されている患者データが有る場合において、入力された患者データを出力した医療用装置の優先順位が、既にデータベース４に記録され当該患者に対する患者データとして管理されている患者データを出力した医療用装置の優先順位よりも高いとき、或いはその優先順位と等しいときには、入力された患者データをデータベース４に記録し、その患者データを当該患者に対する患者データとして管理し、その患者データを、その患者データを出力した医療用装置以外の医療用装置へ出力するようにする。又は、入力された患者データを出力した医療用装置の優先順位が、既にデータベース４に記録され当該患者に対する患者データとして管理されている患者データを出力した医療用装置の優先順位よりも低いときには、入力された患者データをデータベース４に記録せずに、既にデータベース４に記録され当該患者に対する患者データとして管理されている患者データを、入力された患者データを出力した医療用装置へ出力するようにする。
【００２４】
他方、患者データが入力されたときに、既にデータベース４に記録され当該患者に対する患者データとして管理されている患者データが無い場合には、その入力された患者データをデータベース４に記録し、その患者データを当該患者に対する患者データとして管理し、その患者データを、その患者データを出力した医療用装置以外の医療用装置へ出力するようにする。
【００２５】
その他の構成は、前述の第１の実施の形態に係る画像記録装置３と同じである。
このような構成のシステムにおいて、同一検査において行われる患者データの入力は、例えば次のようにして行われる。
【００２６】
但し、ここでは、電子内視鏡装置１の優先順位を１とし、超音波診断装置２の優先順位を２とし、超音波診断装置２よりも電子内視鏡装置１の方が優先順位が高くなるように設定されているものとする。また、本実施形態においても、電子内視鏡装置１の入力部を介して入力された患者データを患者データ１とし、超音波診断装置２の入力部を介して入力された患者データを患者データ２とする。
【００２７】
超音波診断装置２よりも優先順位の高い電子内視鏡装置１の入力部を介して患者データ１が入力されると、その患者データ１が画像記録装置３ａに出力される。画像記録装置３ａでは、その患者データ１が入力されると、設定されている優先順位に基づいて、前述の患者データ処理が行われる。すなわち、患者データ１が入力されると、その患者データ１がデータベース４に記録され、その患者データ１が当該患者に対する患者データとして管理され、その患者データ１が、画像記録装置３から、電子内視鏡装置１以外の装置である超音波診断装置２へ出力される。尚、この場合には、患者データ１を出力した内視鏡装置１よりも高い優先順位の装置は存在しないので、当該患者に対する患者データとして既にデータベース４に患者データ１又は患者データ２が記録されていても、或いは記録されていなくても、このような処理がなされる。
【００２８】
また、電子内視鏡装置１よりも優先順位の低い超音波診断装置２の入力部を介して患者データ２が入力されると、その患者データ２が画像記録装置３ａに出力される。画像記録装置３ａでは、その患者データ２が入力されると、設定されている優先順位に基づいて、前述の患者データ処理が行われる。すなわち、患者データ２が入力されたときに、当該患者に対する患者データとして既にデータベース４に患者データ１が記録されていたときには、入力された患者データ２がデータベース４に記録されることはなく、またその患者データ２が当該患者に対する患者データとして管理されることもなく、当該患者に対する患者データとして既にデータベース４に記録されている患者データ１が、画像記録装置３ａから超音波診断装置２へ出力される。或いは、患者データ２が入力されたときに、当該患者データに対する患者データとしてデータベース４に患者データ２が記録されているとき、或いは当該患者データに対する患者データとしてデータベース４に何も記録されていないときには、入力された患者データ２がデータベース４に記録され、その患者データ２が当該患者に対する患者データとして管理され、その患者データ２が、画像記録装置３から、超音波診断装置２以外の装置である電子内視鏡装置１へ出力される。
【００２９】
以上、本実施形態によれば、画像記録装置に接続される医療用装置に優先順位を設けて、優先順位の高い医療用装置から入力された患者データを、当該患者に対する患者データとして管理することができるので、優先順位の高い医療用装置に対する入力操作だけで、患者データの管理を行うことができる。
【００３０】
尚、本実施形態において、画像記録装置３ａに３つ以上の医療用装置を接続することも可能である。
また、本実施形態において、電子内視鏡装置１、超音波診断装置２、及び画像記録装置３ａとの間のデータの送受を無線により行うことも可能である。
＜第３の実施の形態＞
次に、本発明の第３の実施の形態について説明する。
【００３１】
本実施形態は、画像記録装置に接続されている１つの医療用装置から、患者データに含まれる一部の項目についての内容が入力されたときに、その一部の項目の内容に基づいてデータベースを検索し、その一部の項目の内容に係る患者データが検索されたときには、その検索された患者データを、画像記録装置に接続されている全ての医療用装置に出力（送信）するようにしたものである。
【００３２】
図３は、内視鏡検査に使用される、本発明の第３の実施の形態に係る画像記録装置を含むシステムの一例を示した図である。尚、同図において、図１に示した構成と同一の構成については同一の符号を付して示している。
図３において、画像記録装置３ｂは、患者データに含まれる、患者ＩＤ，又は氏名及び生年月日が入力されたときに、その入力された患者ＩＤ，又は氏名及び生年月日に基づいてデータベース４を検索し、その入力された患者ＩＤ，又は氏名及び生年月日に係る患者データが検索されたときには、その検索された患者データを、画像記録装置に接続されている全ての医療用装置に出力する機能を有している。その他の構成は、前述の第１の実施の形態に係る画像記録装置３と同じである。
【００３３】
このような構成のシステムにおいて、例えば、電子内視鏡装置１の入力部を介して患者ＩＤが入力されると、その患者ＩＤが画像記録装置３ｂへ出力され、その患者ＩＤに対応する患者データがデータベース４から検索される。ここで、その患者データが既にデータベース４に記録されていたときには、その患者データが検索され、その検索された患者データが電子内視鏡装置１及び超音波診断装置２に出力される。尚、超音波診断装置２の入力部を介して患者ＩＤが入力された場合にも同様にして処理が行われ、また患者ＩＤの代わりに患者の氏名及び生年月日が入力された場合にも同様にして処理が行われる。
【００３４】
以上、本実施形態によれば、既に患者データがデータベースに登録されていた場合には、画像記録装置に接続される１つの医療用装置から、その患者データに含まれる一部の項目の内容を入力するだけで、画像記録装置に接続されている全ての医療用装置にその患者データを出力することができる。
【００３５】
尚、本実施形態において、電子内視鏡装置１、超音波診断装置２、及び画像記録装置３ｂとの間のデータの送受を無線により行うことも可能である。
また、本実施形態の場合でも、データベース自体は画像記録装置３とネットワークを介して接続されているサーバー装置側に設けられ、データベース４は単にデータを一時保管するバッファでも良い。
＜第４の実施の形態＞
次に、本発明の第４の実施の形態について説明する。
【００３６】
本実施形態は、画像記録装置に接続されている医療用装置から入力された患者データ及び検査データをデータベースに登録し、また必要に応じてデータベースに登録されている患者データ及び検査データを読み出し、画像記録装置に接続されている医療用装置に出力（送信）するようにしたものである。尚、患者データとは、ＩＤ、名前等、患者固有のデータを示し、検査データとは、検査時に発生するデータ、例えば検査を担当した医師名、検査に使用した機材等のデータを示している。
【００３７】
図４（ａ），（ｂ）  は、内視鏡検査に使用される、本発明の第４の実施の形態に係る画像記録装置を含むシステムの一例を示した図である。尚、同図（ａ），（ｂ）  において、図１に示した構成と同一の構成については同一の符号を付して示している。
図４（ａ），（ｂ）  において、電子内視鏡装置１は、画像記録装置３ｃに接続されている。画像記録装置３ｃは、入力された患者データ及び検査データをデータベース４に登録し、また必要に応じてデータベース４に登録されている患者データ及び検査データを読み出し、画像記録装置３ｃに接続されている医療用装置（ここでは、電子内視鏡装置１）に出力する機能を有している。その他の構成は、第１の実施の形態に係る画像記録装置３と同じである。
【００３８】
このような構成のシステムにおいて、同図（ａ）  に示したように、電子内視鏡装置１の入力部を介して患者データ及び検査データが入力されると、その患者データ及び検査データが画像記録装置３ｃへ出力され、データベース４に記録されて管理される。尚、ここでは、画像記録装置３ｃに接続される医療用装置を１つとしたが、それを複数とすることも可能である。この場合、接続される複数の医療用装置に入力された患者データ及び検査データは画像記録装置３ｃへ出力され、データベース４に記録される。これにより、複数の医療用装置から入力された患者データ及び検査データの一括管理が可能になる。
【００３９】
また、このようにしてデータベース４に記録された患者データ及び検査データは、同図（ｂ）  に示したように、必要に応じて読み出され、画像記録装置３ｃに接続されている電子内視鏡装置１に出力される。尚、ここでは、画像記録装置３ｃに接続される医療用装置を１つとしたが、それを複数とすることも可能である。この場合、読み出された患者データ及び検査データは、接続されている複数の医療用装置の全てに出力される。
【００４０】
以上、本実施形態によれば、画像記録装置に接続されている医療用装置を介して患者データ及び検査データの入力が可能になる。また、データベースに登録されている患者データ及び検査データを、画像記録装置に接続されている医療用装置に出力することが可能になる。
【００４１】
尚、本実施形態において、電子内視鏡装置１と画像記録装置３ｃとの間のデータの送受を無線により行うことも可能である。
＜第５の実施の形態＞
次に、本発明の第５の実施の形態について説明する。
【００４２】
本実施形態は、画像記録装置に接続されている医療用装置の電源ＯＦＦが検出されたときに、検査終了とみなして、それまでに取得した検査データをデータベースに登録する、或いは、検査終了とみなさずに、それまでに取得した検査データを一時的に保持して、その保持した検査データに、続いて取得される検査データを追加するようにする、の何れかを設定できるようにした。
【００４３】
図５は、内視鏡検査に使用される、本発明の第５の実施の形態に係る画像記録装置を含むシステムの一例を示した図である。尚、同図において、図１に示した構成と同一の構成については同一の符号を付して示している。
図５において、電子内視鏡装置１は、検査データ保存設定部６等を有する画像記録装置３ｄに接続されている。
【００４４】
検査データ保存設定部６は、指示に応じて、電子内視鏡装置１からの電源ＯＦＦが検知されたときに、検査終了とみなして、それまでに取得した検査データをデータベース４に登録するようにする設定（以下、これを設定Ａという）、或いは、検査終了とみなさずに、それまでに取得した検査データを一時的に保持して、その保持した検査データに、引き続き取得される検査データを追加するようにする設定（以下、これを設定Ｂという）を行う。尚、電源ＯＦＦを検知する方法としては、特に限定するものではないが、例えばＲＳ２３２Ｃによるシリアル通信の場合には、ＤＴＲラインのＨｉ、Ｌｏｗを検出する等が一般的に行われている。その他の構成は、前述の第１の実施の形態に係る画像記録装置３と同じである。
【００４５】
このような構成のシステムにおいて、検査データ保存設定部６に対し前述の設定Ａがなされている場合には、内視鏡検査中において、電子内視鏡装置１の電源がＯＦＦされ、電子内視鏡装置１の電源ＯＦＦが画像記録装置３ｄに検知されると、画像記録装置３ｄでは、検査終了とみなして、それまでに取得された検査データがデータベース４に記録される。その後、電子内視鏡装置１の電源がＯＮされ、電子内視鏡装置１の入力部を介して検査データが入力されると、その検査データは画像記録装置３ｄに出力され、画像記録装置３ｄでは、その検査データが、新たな検査データとして取り扱われる。
【００４６】
又は、検査データ保存設定部６に対し前述の設定Ｂがなされている場合には、電子内視鏡装置１の電源がＯＦＦされ、電子内視鏡装置１の電源ＯＦＦが画像記録装置３ｄに検知されると、画像記録装置３ｄでは、検査終了とみなさず、また、それまでに取得された検査データがデータベース４に記録されずに、そのまま保持される（一時記憶される）。その後、電子内視鏡装置１の電源がＯＮされ、電子内視鏡装置１の入力部を介して検査データが入力されると、その検査データが画像記録装置３ｄに出力され、画像記録装置３ｄでは、その検査データが、前述の保持されている検査データに追加されるようになり、１つの検査データとして取り扱われて、検査が継続される。
【００４７】
以上、本実施形態によれば、設定により、画像記録装置に接続されている医療用装置の電源ＯＦＦが検出されたときに、それまでに取得した検査データをデータベースに登録する、或いはその検査データをそのまま保持して、その保持した検査データに、続いて取得される検査データを追加させる、のいずれかを行わせることが可能になる。よって、例えば、後者の設定を行っておくことで、検査中に特段の事情（使用スコープを別のタイプへ交換等）により内視鏡装置の電源をＯＦＦして検査を中断した場合であっても、再び電源をＯＮして検査を再開したときには、電源ＯＦＦ前の検査データと電源ＯＮ後の検査データが分割されることなく１つの検査データとして取り扱うことができる。
【００４８】
尚、本実施形態において、電子内視鏡装置１と画像記録装置３ｄとの間のデータの送受を無線により行うことも可能である。
＜第６の実施の形態＞
次に、本発明の第６の実施の形態について説明する。
【００４９】
本実施形態は、画像記録装置に複数の医療用装置が接続されている場合に、予めそれらの中から１つの装置を定めておき、その装置の電源ＯＦＦが検出されたときに、前述の第５の実施の形態に係る検査データ保存設定部６の設定に応じた処理を行うようにしたものである。
【００５０】
図６は、内視鏡検査に使用される、本発明の第６の実施の形態に係る画像記録装置を含むシステムの一例を示した図である。尚、同図において、図１及び図５に示した構成と同一の構成については同一の符号を付して示している。
図６において、電子内視鏡装置１と超音波診断装置２は、検査データ保存設定部６等を有する画像記録装置３ｅと接続されている。
【００５１】
画像記録装置３ｅは、接続されている複数の医療用装置（ここでは、電子内視鏡装置１及び超音波診断装置２）の中から予め指示に応じて定められた１つの装置の電源ＯＦＦが検知されたときに、前述の第５の実施の形態に係る検査データ保存設定部６の設定に応じた処理を行う。
【００５２】
すなわち、検査データ保存設定部６は、指示に応じて、画像記録装置３ｅに接続されている複数の医療用装置の中の定められた１つの装置の電源ＯＦＦが検知されたときに、検査終了とみなして、それまでに取得した検査データをデータベース４に登録するようにする設定（以下、これを設定Ａ´という）、或いは、検査終了とみなさずに、それまでに取得した検査データを一時的に保持して、その保持した検査データに、引き続き取得される検査データを追加するようにする設定（以下、これを設定Ｂ´という）を行う。
【００５３】
尚、画像記録装置３ｅに接続されている複数の医療用装置の中から定められる１つの装置は、例えば、指示に応じて、その装置が接続される画像記録装置３ｅの通信ポートが定められること等によって行われる。これにより、指示に応じて定められた通信ポートに接続される医療用装置が、画像記録装置３ｅに接続されている複数の医療用装置の中から定められる１つの装置となる。
【００５４】
その他の構成は、前述の第５の実施の形態に係る画像記録装置３ｄと同じである。
このような構成のシステムにおいて、例えば、画像記録装置３ｅに接続されている複数の医療用装置の中から定められる１つの装置として、電子内視鏡装置１が定められ、かつ、検査データ保存設定部６に対し前述の設定Ａ´がなされている場合には、内視鏡検査中において、電子内視鏡装置１の電源がＯＦＦされ、電子内視鏡装置１の電源ＯＦＦが画像記録装置３ｅに検知されると、画像記録装置３ｅでは、検査終了とみなして、それまでに取得された検査データがデータベース４に記録される。その後、画像記録装置３ｅに検査データが入力されると、その検査データは、新たな検査データとして取り扱われる。
【００５５】
又は、画像記録装置３ｅに接続されている複数の医療用装置の中から定められる１つの装置として、電子内視鏡装置１が定められ、かつ、検査データ保存設定部６に対し前述の設定Ｂ´がなされている場合には、内視鏡検査中において、電子内視鏡装置１の電源がＯＦＦされ、電子内視鏡装置１の電源ＯＦＦが画像記録装置３ｅに検知されると、画像記録装置３ｅでは、検査終了とみなさず、また、それまでに取得された検査データがデータベース４に記録されずに、そのまま保持される。その後、画像記録装置３ｅに検査データが入力されると、その検査データは、前述の保持されている検査データに追加されるようになり、１つの検査データとして取り扱われて、検査が継続される。
【００５６】
尚、本例では、画像記録装置３ｅに接続されている複数の医療用装置の中から定められる１つの装置として、電子内視鏡装置１を定めたが、超音波診断装置２を定めた場合も同様にして処理が行われる。
以上、本実施形態によれば、画像記録装置に複数の医療用装置が接続される場合であっても、予めそれらの中から１つの装置を定めておくことで、設定により、その装置の電源ＯＦＦが検出されたときに、それまでに取得した検査データをデータベースに登録する、或いはその検査データをそのまま保持して、その保持した検査データに、続いて取得される検査データを追加させる、のいずれかを行わせることが可能になる。
【００５７】
尚、本実施形態において、電子内視鏡装置１、超音波診断装置２、及び画像記録装置３ｅとの間のデータの送受を無線により行うことも可能である。
以上、本発明の画像記録装置について詳細に説明したが、本発明は上記実施形態に限定されず、本発明の要旨を逸脱しない範囲において、各種の改良及び変更を行っても良いのはもちろんである。
【００５８】
（付記１）  複数の医療用装置の中の１つの医療用装置から出力された患者データが入力されたときに、前記患者データを当該患者に対する患者データとして記録すると共に、前記患者データを、前記複数の医療用装置の中の、前記患者データを出力した医療用装置以外の医療用装置へ出力し、
当該患者に対する患者データを１つの患者データとして管理する、
ことを特徴とする画像記録装置の記録方法。
【００５９】
（付記２）  複数の医療用装置に優先順位を設け、前記複数の医療用装置の中の１つの医療用装置から出力された患者データが入力されたときに、前記患者データを出力した医療用装置に設けられた優先順位に基づいて、前記患者データを当該患者に対する患者データとして記録し、前記入力された患者データを、前記複数の医療用装置の中の、前記患者データを出力した医療用装置以外の医療用装置へ出力する、又は、前記患者データを当該患者に対する患者データとして記録せずに、既に記録されている患者データを、前記患者データを出力した医療用装置へ出力する、
ことを特徴とする画像記録装置の記録方法。
【００６０】
（付記３）  複数の医療用装置の中の１つの医療用装置から出力された、患者データに含まれる一部の項目の内容が入力されたときに、前記一部の項目の内容に基づいてデータベースを検索し、前記一部の項目の内容に係る患者データが検索されたときには、前記一部の項目の内容に係る患者データを、前記複数の医療用装置に出力する、
ことを特徴とする画像記録装置の記録方法。
【００６１】
（付記４）  画像記録装置のコンピュータに、
複数の医療用装置の中の１つの医療用装置から出力された患者データが入力されたときに、前記患者データを当該患者に対する患者データとして記録すると共に、前記患者データを、前記複数の医療用装置の中の、前記患者データを出力した医療用装置以外の医療用装置へ出力する機能、
を実現させるためのプログラム。
【００６２】
（付記５）  画像記録装置のコンピュータに、
複数の医療用装置に優先順位を設け、前記複数の医療用装置の中の１つの医療用装置から出力された患者データが入力されたときに、前記患者データを出力した医療用装置に設けられた優先順位に基づいて、前記患者データを当該患者に対する患者データとして記録し、前記入力された患者データを、前記複数の医療用装置の中の、前記患者データを出力した医療用装置以外の医療用装置へ出力する、又は、前記患者データを当該患者に対する患者データとして記録せずに、既に記録されている患者データを、前記患者データを出力した医療用装置へ出力する機能、
を実現させるためのプログラム。
【００６３】
（付記６）  画像記録装置のコンピュータに、
複数の医療用装置の中の１つの医療用装置から出力された、患者データに含まれる一部の項目の内容が入力されたときに、前記一部の項目の内容に基づいてデータベースを検索し、前記一部の項目の内容に係る患者データが検索されたときには、前記一部の項目の内容に係る患者データを、前記複数の医療用装置に出力する機能、
を実現させるためのプログラム。
【００６４】
（付記７）  医療用装置の電源がＯＦＦされたことを検出したときに、それまでに取得した検査データをデータベースに記録する、或いは、それまでに取得した検査データを一時的に保持する、
ことを特徴とする画像記録装置。
【００６５】
（付記８）  前記検査データが一時的に保持されているときに、前記医療用装置の電源がＯＮされたことを検出したときは、該検出後に入力される検査データを、前記一時的に保持されている検査データに追加する、
ことを特徴とする付記７記載の画像記録装置。
【００６６】
（付記９）  複数の医療用装置の中から定められた１つの医療用装置の電源がＯＦＦされたことを検出したときに、それまでに取得した検査データをデータベースに記録する、或いは、それまでに取得した検査データを一時的に保持し、該保持した検査データに、続いて取得される検査データを追加するようにする、
ことを特徴とする画像記録装置。
【００６７】
【発明の効果】
以上、詳細に説明したように、本発明によれば、同一検査内に複数の医療用装置が用いられて検査が行われる場合に、当該患者に対する患者データを１つとすることができ、患者データの管理を容易にすることができる。
【図面の簡単な説明】
【図１】内視鏡検査に使用される、本発明の第１の実施の形態に係る画像記録装置を含むシステムの一例を示した図である。
【図２】内視鏡検査に使用される、本発明の第２の実施の形態に係る画像記録装置を含むシステムの一例を示した図である。
【図３】内視鏡検査に使用される、本発明の第３の実施の形態に係る画像記録装置を含むシステムの一例を示した図である。
【図４】（ａ），（ｂ）  は、内視鏡検査に使用される、本発明の第４の実施の形態に係る画像記録装置を含むシステムの一例を示した図である。
【図５】内視鏡検査に使用される、本発明の第５の実施の形態に係る画像記録装置を含むシステムの一例を示した図である。
【図６】内視鏡検査に使用される、本発明の第６の実施の形態に係る画像記録装置を含むシステムの一例を示した図である。
【符号の説明】
１      電子内視鏡装置
２      超音波診断装置
３、３ａ、３ｂ  画像記録装置
３ｃ、３ｄ、３ｅ  画像記録装置
４      データベース
５      通信部
６      検査データ保存設定部
【図１】
2004348419.tif 000003
【図２】
2004348419.tif 000004
【図３】
2004348419.tif 000005
【図４】
2004348419.tif 000006
【図５】
2004348419.tif 000007
【図６】
2004348419.tif 000008